(57)【特許請求の範囲】
【請求項１】
光ファイバを接続するさいに用いる集合体であって、光ファイバ接続部を収納するための複数のハウジング（12）からなり、各ハウジングは、該各ハウジングに関連した前記集合体の各剛性搬送部材（14）に関して回動自在に装着され、該剛性搬送部材は光ファイバを各可撓導管手段（22）をかいして前記ハウジングに送るための通路手段を有し、前記導管手段（22）は前記剛性搬送部材と前記ハウジングとの間に延び、前記ハウジングが収容位置にあるときに整列して堆積されるように、隣接した前記剛性搬送部材は一体に押嵌め自在になっており、各ハウジングは該ハウジングの利用を可能にするために他のハウジングとの整列から外れて該ハウジングの収容位置から回動できる、光ファイバ接続用集合体。
【請求項２】
各ハウジングが、該ハウジングと関連した剛性搬送部材と該関連した剛性搬送部材に隣接した剛性搬送部材との間で延びる軸ピン（80）のまわりで回動自在に装着されている、請求項１に記載の光ファイバ接続用集合体。
【請求項３】
前記軸ピン（80）は、前記隣接剛性搬送部材に押嵌め自在な関連した剛性搬送部材に設けられた突出部からなる、請求項２に記載の光ファイバ接続用集合体。
【請求項４】
各ハウジングは、前記軸ピンを受けるための挿入口（82）が形成され、前記ハウジングは該ハウジングに関連した剛性搬送部材に関して移動できる、請求項２または３に記載の光ファイバ接続用集合体。
【請求項５】
前記挿入口は、前記ハウジングが前記集合体から取り出されるように開くことができる、請求項４に記載の光ファイバ接続用集合体。
【請求項６】
前記挿入口（82）は、前記ハウジング（12）を構成する互いに隣接する部分（28、34）によって形成され、該隣接部分（28、34）は、前記挿入口が閉じられている第１状態から前記挿入口が開かれている第２状態まで互いに関して動くことができる、請求項５に記載の光ファイバ接続用集合体。
【請求項７】
前記隣接部分は、第２部分（28）に回動連結された第１部分（34）からなる、請求項６に記載の光ファイバ接続用集合体。
【請求項８】
前記ハウジングの第２部分（28）は、光ファイバ接続部を位置決めする手段（30）と、光ファイバの余長を貯える手段（112）とからなる、請求項７に記載の光ファイバ接続用集合体。
【請求項９】
前記第２部分（28）は、光ファイバ接続部を位置決めする嵌込み部材（30）を有する、請求項８に記載の光ファイバ接続用集合体。
【請求項１０】
前記嵌込み部材（30）は、前記ハウジングに選択的に嵌合する複数の異なる形状の嵌込み部材のうちの１つである、請求項９に記載の光ファイバ接続用集合体。
【請求項１１】
請求項１から10までの任意の一項に記載の光ファイバ接続用集合体であって、入力尾部および出力尾部を有する少なくとも１つの光学装置（20）を収容する別のハウジング（18）と、前記両尾部を前記別のハウジング（18）から前述したハウジング（12）まで案内し、該ハウジング（12）は、前記剛性搬送部材（14）の選択された通路手段に前記両尾部を案内するように前記剛性搬送部材に押嵌めされる光ファイバの進路を形成する案内部材（17）を有する、光ファイバ接続用集合体。
【発明の詳細な説明】
［技術分野］
本発明は、光ファイバの接続に関し、さらに詳しく言えば、関連した光ファイバ接続部を収容するための複数のハウジングを備えた光ファイバ接続部用ハウジングおよび集合体に関するものである。
［背景技術］
このような集合体は、例えば、US5187766およびEP0370819Aから公知である。これらの各特許においては、各ハウジングが光ファイバ接続部への利用を与えるように他のハウジングとの整列から外れて動くことができるようになった状態でハウジングが整列された堆積状に配置されている。
上述した特許明細書において開示されている集合体は、（ｉ）集合体の空間利用が不十分となり、集合体は、空間が制限されている位置に収容される必要がある場合に不利となり、（ii）集合体が共同できるハウジングの数を制限する構造を有し、異なる数のハウジングを持つ集合体が要求される場合に不利となる。
我々のGB2282457Aは、上述した欠点を伴わず光ファイバ接続部を収容するための複数のハウジングからなる集合体を開示している。この集合体において、各ハウジングは各剛性搬送部材に回動自在に装着され、剛性搬送部材は光ファイバを搬送部材とハウジングとの間に延びる各可撓導管手段をかいしてハウジングに送る通路手段を有し、搬送部材はハウジングが収容位置にあるときに整列された堆積状に配置されるように互いに固く結合され、各ハウジングはその利用を可能にするように、収容位置から他のハウジングとの整列から外れて回動できる。
各ハウジングがその関連した搬送部材に装着されるので、集合体のハウジングの数は要求に合わせて変えられうることは、理解されるであろう。また、搬送部材はハウジングが整列された堆積状に配置されるように一体に結合されるので、集合体のハウジングによって占有される空間は、集合体のハウジングの数に対して最少にされる。
GB2282457に開示された集合体においては、剛性搬送部材がそれらに設けられた穴を貫通する引張棒によって一体に固く結合される。したがって、任意の数のハウジングが集合体に配置されうるけれども、搬送部材を一体に結合するように用いられた引張棒の長さは集合体のハウジングの数によって変わる。
［発明の開示］
本発明の１つの考え方においては、剛性搬送部材を相互に一体に結合するための引張棒の必要性、したがて適当な長さの引張棒を設ける必要性が剛性搬送部材を一体に押嵌めすることによって排除される。本発明の１つの考え方においては、光ファイバを接続するさいに用いる集合体は、光ファイバ接続部を収納するための複数のハウジングからなる。各ハウジングは、関連した剛性搬送部材に関して回動自在に装着される。剛性搬送部材は光ファイバを各可撓導管手段をかいしてハウジングに送るための通路を有する。導管手段は剛性搬送部材とハウジングとの間に延びる。ハウジングが収容位置にあるときに整列して堆積されるように、相互隣接搬送部材は一体に押嵌め可能になっている。各ハウジングはその利用を可能にするために他のハウジングとの整列から外れてその収容位置から回動できる。
有利なように、各ハウジングが、それと関連した剛性搬送部材と、その関連剛性搬送部材に隣接した剛性搬送部材との間で延びる軸ピンのまわりで回動自在に装着されていてもよい。
上述した軸ピンは、隣接剛性搬送部材に押嵌め自在な関連剛性搬送部材に設けられた軸ピンからなっていてもよい。
各ハウジングは、軸ピンを受けるための挿入口を形成し、ハウジングはそれに関連した剛性搬送部材に関して移動できるようにしてもよい。有利なように、挿入口は、ハウジングが集合体から取り出されるように開くことができるようにしてもよい。この場合、挿入口は、ハウジングの隣接部分によって画定されてもよく、ハウジングの隣接部分は、挿入口が閉じられている第１状態から挿入口が開かれている第２状態まで互いに関して動くことができる。好ましくは、隣接部分は、第２部分に回動連結された第１部分からなっていてもよい。この場合、好ましくは、ハウジングの第２部分は、光ファイバ接続部を位置付決めする手段と、光ファイバの余長を貯える手段とからなる。
第２部分は、光ファイバ接続部を位置決めする手段を与える嵌込み部材からなるっていてもよい。有利なように、この嵌込み部材は、ハウジングに選択的に嵌合する複数の異なる形状の嵌込み部材のうちの１つであってもよい。
集合体は、さらに入力尾部および出力尾部を有する少なくとも１つの光学装置を収容する別のハウジングと、両尾部を別のハウジングから前述したハウジングまで案内し、剛性搬送部材の選択された通路手段に両尾部を案内するように剛性搬送部材に押嵌めされる光ファイバの進路手段を画定する案内部材を含んでいてもよい。
別の考え方においては、本発明は、光ファイバを接続するさいに用いる集合体であって、光ファイバ接続部を収容する複数のハウジングからなり、ハウジングは、各ハウジングが軸ピンが貫通する挿入口を有する状態で整列された堆積状に配置され、これにより、ハウジングへの利用を与えるように他のハウジングとの整列から外れて動くように、ハウジングが軸ピンに関して移動する、光ファイバ接続用集合体を提供する。
別の考え方においては、本発明は、光ファイバ接続部および光ファイバの余長を収容するハウジングであって、トレイ内の光ファイバを接続部が収容される領域へ案内する手段からなり、ハウジングは光ファイバ接続部を位置決めする手段を与える領域に嵌込み部材を有するハウジングを提供する。
嵌込み部材は、前記領域で嵌合できる複数の異なる形状の嵌押み部材のうちの１つであってもよい。
有利なように、嵌込み部材は接続位置決め手段に隣接した穴と、穴上に光ファイバを案内する手段とを有していてもよい。
【図面の簡単な説明】
図１は、光ファイバを入力尾部および出力尾部を有する少なくとも１つの光学装置に接続するさいに用いる集合体の概略斜視図である。
図２は、図１の集合体の光ファイバ経路を示す線図である。
図３は、集合体の剛性搬送部材の頂部から見た斜視図である。
図４は、下から見た剛性搬送部材の底面図である。
図５は、図４の矢印Ｖの方向から見た剛性搬送部材の側面図である。
図６は、集合体のトレイの頂部から見た斜視図である。
図７は、図６のトレイ用嵌込み部材の斜視図である。
図８は、トレイ用嵌込み部材の別のものの斜視図である。
図９は、トレイ用蓋の斜視図である。
図10は、トレイ用延長部分の斜視図である。
図11は、図７の嵌込み部材に嵌合された図６のトレイの上面図である。
図12は、トレイ、蓋、延長部分からなるモジュールの上面図であって、そのモジュールはトレイが搬送部材に関して収容位置にあり、蓋がトレイに関して閉じた位置にある状態を示す。
図13は、図12のモジュールの底面図であって、同じ状態にあるモジュールを示す。
図14は、図12のモジュールの縮小された上面図であって、トレイが搬送部材に関して収容位置にない状態にあり、蓋が搬送部材に関して収容位置にない状態にあり、蓋がトレイに関して開いた位置にある状態のモジュールを示す。
図15は、モジュールの副集合体と共に用いる案内部材の斜視図である。
［発明を実施するための最良の形態］
まず、図１を参照すれば、集合体10は、光ファイバ接続部を収容するための複数のハウジング12からなる。各ハウジングは、光ファイバをハウジングに送るための通路を設けられた関連する剛性搬送部材14に関して回動自在に装着される。搬送部材は、ハウジングが整列された堆積状に、図示例では横列というよりはむしろ堆積または階層状に配置されるように、一体に押嵌めされる。各ハウジングは、他のハウジングとの整列から外れてその図示された収容位置からハウジングへの利用を可能にするように回動できる。ハウジング12の整列された堆積は、少なくとも１つの不動態光学装置20を収容する別のハウジング18と整列した状態に配置される。剛性搬送部材14に押嵌めされた案内部材17からなる案内16は、ハウジング18と剛性搬送部材との間に光ファイバの進路を与える。
集合体は、ハウジング18内の各不動態光学装置20の入力オプチカル尾部および出力オプチカル尾部（例えば、１つの入力尾部および４つの出力尾部を有するスプリッタ）を、ハウジング12に収容された光学装置20および接続部へまたはそこから信号を搬送する各光ファイバ、各光ファイバ内で１またはそれを超えるもの、に接続されうるようにする。光学装置から接続部を別個に収容すること、および複数のハウジング内にそれらを位置決めすることは両者の装備および保守を容易にする。
図２において、ハウジング18内の光学装置20の尾部は、実線で示されるように、ハウジング内で案内16をかいして搬送部材14に運ばれる。各搬送部材14（図２では、１つのみが示されている。）から、そこに送られる尾部は可撓導管手段22をかいしてその搬送部材に関連されたハウジング12へ送られる。図２において、図示するハウジング12は、搬送部材14に隣接したその収容位置から回動された位置に示されている。図２における一点鎖線は、位置24においてオプチカル尾部への接続をするように搬送部材14、可撓導管22をかいし、ハウジング12内での光ファイバの経路を示す。
尾部および光ファイバが所定の曲げ半径以下に曲げられないように、光学装置の尾部およびそれらに接続されるべき光ファイバが所定の経路にそって集合体内で案内される。
集合体は、上述したように、装着者によって搬送部材および可撓導管をかいしてハウジングに送られる光ファイバへの接続の準備を整えて、「予備光ファイバ」を装備するように供給され、それはハウジング18に収容された少なくとも１つの不動態光学装置を有し、その光ファイバの尾部がハウジング12に送られる。
さらに詳しくいえば、集合体10は、図12から図14までに示す複数のモジュール26からなる。各モジュールは、剛性搬送部材14（図３−５）、トレイ28（図６）、トレイ嵌込み部材30（図７）、トレイ蓋32（図９）、トレイ延長部分34（図10）、２つの可撓導管22からなる。トレイ嵌込み部材30、トレイ蓋32、延長部分34と共にトレイ28は、集合体10のハウジング12を構成する。別のトレイ嵌込み部材31は、図８に示されている。
ハウジング12が搬送部材14に関して収容位置にあるときに、整列された堆積状になるように、モジュール26が搬送部材14を一体に押嵌めすることによって互いに接続される（図12、13）。
各ハウジング12は、図14に示すように、ハウジングへの利用を可能にするように集合体10内で他のハウジング12との整列から外れて回動できる。
搬送部材をかいして一体に押嵌めされたモジュール26の副集合体は、モジュールのハウジング12がそれとほぼ同一平面輪郭または「足跡」を有する別のハウジング18と整列した状態で、別のハウジング18に嵌合される。
各ハウジング12は、図14に示すように、それへの利用を可能にするように、集合体10内で他のハウジング12との整列から外れて回動できる。
搬送部材をかいして一体に押嵌めされたモジュール26の副集合体は、モジュールのハウジング12がハウジング12とほぼ同じ輪郭または「足跡」を有するハウジング18と整列した状態で別のハウジング18に嵌合される。
前述したように、搬送部材14に押嵌めされた案内部材17（図15においては１つが示されている。）は、別のハウジング18から搬送部材まで光ファイバの尾端を案内するための所定の経路を与える。
集合体10は任意の数のモジュール26からなっていてもよく、また、モジュールは余分のモジュールの搬送部材を既存のモジュールの搬送部材に押嵌めすることによって、単に加えられてもよい。この場合、集合体は高さの範囲を有する。しかし、集合体10は、モジュールの数にかかわらず、長手方向にわたってほぼ一定断面の細長い形状をしている。
別のハウジング18は、ハウジング12の下またはハウジング12の間よりもむしろ上方に設けられ、また、１以上のハウジング18が集合体内に設けられてもよい。
別のハウジングが省略されてもよく、搬送部材14をかいして一体に押嵌めされた複数のモジュール26からなる集合体が設けられてもよい。このようなハウジングは、接続されるべき光ファイバが関連した搬送部材14の１またはそれを超える通路をかいしてハウジング12のトレイ28に搬送される状態にして、点対点接続部をつくるように用いられてもよい。光ファイバと余長光ファイバとの間の１またはそれを超える接続部がトレイ内に配置される。
図３から図５までを参照すれば、各剛性搬送部材14はプラスチック・モールディングであり、また、凹部46を画定する端部分42、44間に延びる細長い部分40を有する。凹部46は、ハウジング12が収容位置にあるとき、搬送部材と関連したトレイ28の相当な部分を収容する。
挿入口47、48は、各搬送部材の下側に形成され、図13に最もよく示すように、挿入口47、48に挿入された各可撓導管をかいして搬送部材に関連されたハウジングのトレイに光ファイバを搬送するための通路手段を形成する。
搬送部材は、その広がりにわたってほぼ平らな上面49を有し、上面49に関して下方に突出しかつ搬送部材に隣接した下部の上面の各凹部60、61、62、63に押嵌めされうる４つの突起50、51、52、53が設けられている。図面ならびに突起53および凹部63について参照すれば、各突起は凹部の環状凹み72に嵌合できる環状突起部分70と、凹部の円形凹み76に嵌合できる十字形突起74とを有する。環状凹み72と円形凹み76との間の環状部分78は、環状突起部分70と十字形突起74との間で嵌合する。製作公差は、２つの剛性搬送部材が集合体の一部として通常の使用中に突起と凹部との押嵌めによって一体に保持されるが、過度の力なしに必要とされる場合にには、互いに分離されてもよい。この点において、嵌合は押嵌め嵌合として記載されてもよい。しかし、もしも剛性搬送部材間により恒久的な相互結合が必要な場合には、突起と凹部との間のスナップ押嵌めが設けられてもよい。
各搬送部材14の突起50は、突起50の環状突起部分70が設けられている軸ピン80（図５）を有し、また、軸ピン80は、その搬送部材に関連したハウジング12がその収容位置へまたはそこから回動できる軸ピンを形成する。軸ピン80は、それが設けられている搬送部材と、それの下にある隣接搬送部材との間でかつ突起50が嵌合されている凹部60内に延びている。軸ピン80は、トレイ28およびハウジングのトレイ延長部分34によって画定されるハウジング12の挿入口82内に受けられ、これによりハウジングは搬送部材14に形成された軸ピン80に関して移動する。このようにして、図14に示すように、トレイへの完全な利用が、軸ピン80によって形成された軸ピンのまわりに90゜の範囲でハウジングの回転のさいになされる。この特徴は、ハウジングがトレイへの完全な利用を可能にするように約180゜回動するように要求されている場合よりも集合体10が近接した間隔で次々に配置されるようにする。
搬送部材14には、トレイ28をハウジング12の収納位置状態に解除自在に保持するためにトレイ上に設けた形成物83（図６）にスナップ嵌合自在に係合するフック81が設けられている。
トレイ延長部分34が、その円筒形穴86に受けられたトレイ上の円筒形軸ピン84によってトレイ28（ハウジングの別の部分を構成する）に回動自在に取り付けられる。延長部分34およびトレイ28は、軸ピン84の軸のまわりで挿入口82が閉じられた第１状態（図13に最もよく示されている）から挿入口82が開かれている第２状態まで回動することによって互いに関して動くことができる。閉じられた状態においては、延長部分34の開いた挿入口の各側に設けられた歯部分88、90は、トレイの歯部分94に相互に係合する。一方の歯部分94Aは、トレイおよび延長部分が閉じた挿入口82を一体に画定するように、延長部分に形成された挿入口92の開口を閉じる。延長部分のフック96は、延長部分およびトレイをそれらの第１状態に固定するようにトレイの凹部98にスナップ嵌合する。しかし、フック96および凹部98は、挿入口を開くために延長部分が軸ピン84のまわりで回動されうるように、フックが凹部から（好ましくは、工具の助けを借りて）外されるようになっている。挿入口が開くことによって、ハウジングは、複数のモジュール26からなる集合体から軸ピン80によって形成された軸ピンの軸を横切る移動によって取り出されうる。このようにして、任意のハウジングが、集合体を分解する必要なしに集合体から容易に取り出されうる。この特徴は、集合体の既存のハウジングが異なる内部トレイ形状を有する別のハウジングに置き換えられうるようにする。
図６および図11を参照すれば、本実施例のトレイ28の内部形状が示されている。トレイの機能は、光ファイバ接続部を位置決めし、光ファイバの余長を貯え、光ファイバの長さを節約することである。この目的のために、トレイ形状は、導管22を受けるための入口100と、トレイ内の導管から光ファイバ間の接続部が配置されるべき領域102まで光ファイバを案内するための光ファイバ案内手段とを画定する。光ファイバ案内手段は、トレイの前部および入口100から離れたトレイの側部のまわりに延びる入口からの外周進路104と、入口100に隣接したトレイの側部にそって延びる外周進路106と、トレイの２つの側部に隣接した内周進路108、110と、トレイのほぼ中央に配置されかつトレイ114を貫通させるマンドレル112とからなる。
ベンドが光ファイバのための最小ベンド半径以下になるように、光ファイバがこれらの進路にそってかつマンドレルのまわりに案内される。上述した進路を用いて、入口100を通りトレイに入る２つの光ファイバが、２つの光ファイバが異なる方向から端部接続をするように領域102に入るように、例えば、縦継ぎによって、また、その接続がその領域内に配置されうるように、案内される。この点に関しては、進路104にそう経路を有する光ファイバが、進路106内に通すことによって同じ方向（図６、11において反時計方向）に連続できるか、または、進路114をかいして送給され、進路110、次いで進路108内に送給されることによって方向を変えられる。進路106は一方向から領域102内に送給し、また、進路108は他の方向から領域102内に送給する。
進路104からの光ファイバが進路106へ送給される前に、余長光ファイバを貯えるために、光ファイバがマンドレル112のまわりに搬送される。同様に、光ファイバが進路110から進路108へ送給される前に、光ファイバはマンドレル112のまわりに搬送される。それ以上の蓄積が、予備光ファイバ（すなわち、他の光ファイバに接続されるべきではない光ファイバ）用にマンドレル112の頂部に与えられる。この予備光ファイバは、進路104にそう通過後、傾斜進路116をかいしてマンドレルの頂部に搬送される。
間隔をあけた延長部分案内は、様々な進路および蓄積空間の上に設けられ、これらの進路および空間に光ファイバを保持する。
図７に示す嵌込み部材30（または図８に示される嵌込み部材31のような別の嵌込み部材）は、領域102に押嵌めされる。トレイの隣接した平行壁120、122と共に嵌込み部材30の３つの平行壁118は、光ファイバ接続部が配置される４つの平行配置を画定する。各光ファイバ接続部は、隣接対の壁118、120または122間に配置されかつそれらによって保持される。
異なる形状の嵌込み部材は領域102におけるトレイ28に嵌合され、また、図８はトレイの壁122と共同する壁216を通る試験穴124を与える１つの別の嵌込み部材31、光ファイバ接続部配置を示す。
領域102の異なる形状の嵌込み部材は、異なる機能についてのハウジング12が同じトレイ28を使えるようにし、また、各機能について異なるトレイを準備する必要性を避ける。
トレイ用蓋32は、トレイに設けられた軸ピンバー132にスナップ嵌合できるブラケット130によってトレイに取り付けられうるので、蓋はそれがトレイを覆う閉じた位置（図12）と開いた位置（図13）との間で回動できる。蓋は、不透明なものとして図示されているが、蓋を開くことなしに、トレイの内部を観察できるように透明であってもよい。
図15は、２つの隣接した端搬送部材14と共に使用できる案内部材17を示す。案内部材は、細長い要素140からなる。細長い要素140は、その一端にモジュール26の副集合体における２つの隣接した搬送部材の通路内に配置できる２つの差込み部を設けられている。要素140は、光ファイバ、特に別のハウジング18に設けられた不動態光学装置からの光ファイバ尾端のための進路を与える挿入口を一方の側に設けられている。反対の側には、要素の長さにそう約半分の所に、副集合体の２つの隣接した搬送部材の共同凹部146（図３）によって画定された穴にスナップ嵌合する突起がある。光ファイバが次の下方案内部材から次の上方案内部材または搬送部材の通路まで向けられるようにする進路を、挿入口が与える。さらに詳しく言えば、底開口148に入る光ファイバは、案内部材17が嵌合される２つの搬送部材の下方の通路47へ進路150にそって向けられる。底開口152に入る光ファイバは、（ｉ）進路154にそって２つの搬送部材の上方通路47へ、（ii）進路156にそって次の上方案内部材の進路150にそった方向に対してその案内部材の底開口148に整列した上方開口158へ、または（iii）進路160にそって次の上方案内部材の進路154、156、または160にそった方向にその案内部材の低開口152に整列した上方開口162へ向けられてもよい。
このようにして、案内部材の使用によって、集合体10の別のハウジングからの光ファイバ尾端が集合体の搬送部材の通路47へ、したがって通路47に接続された導管22をかいしてトレイ内に選択的に案内される。尾端に接続されるべき光ファイバは、通路48およびそれに接続された導管22をかいして所望のトレイに送給される。各細長い要素140にスナップ嵌合できる各カバー（図示せず）は、挿入口を覆い、挿入口内の光ファイバへの利用を防止する。
集合体の別のハウジング18は詳細には図示されていない。それは、少なくとも１つの不動態光学装置に配置しかつ集合体の最下方案内部材17の底開口148、152へ光光ファイバ尾端を搬送するための手段が設けられているトレイの形体を取る。トレイは、その内容物への無許可利用を防止するために、容易に取り外されないカバーを設けられている。
前述したように、集合体が点対点光ファイバ接続部のみを要求されている場合には、別のハウジング18は集合体から省略されてもよい。この場合、案内部材17は搬送部材に嵌合されず、また、各トレイ内で接続されるべき光ファイバが搬送部材の通路47、48をかいしてそこへ向けられる。
集合体10は、例えば、最上案内部材17を省略することによって変更されてもよく、これにより上方の２つのハウジング12は点対点接続のために使用され、また、下方の４つのハウジング12はハウジング18に収容された各光学装置の尾端への接続のために使用される。
各トレイに送給される光ファイバは、単独の光ファイバまたはリボン光ファイバでもよい。後者の場合、例えば、２つのリボン光ファイバ、すなわち12の光ファイバが図11に示すようにトレイ内で接続されてもよい。なぜならば、12の接続が嵌込み部材30を使用するように設けられるからである。また、トレイはマンドレルの配置を除いて全体的に均等な深さを有するので、リボン光ファイバはトレイ進路内で分離されずに動かされ、12の光ファイバリボン光ファイバを収容するように好ましくは選定される。
モジュール26および案内部材17のすべての部品は、プラスチックでつくられ、上述した押嵌めを許すのに十分な抵抗を有している。（ｉ）各モジュール26が部品を一体に押嵌めすることによって容易に組み立てられ、（ii）これらのモジュール26がモジュールの剛性搬送部材14を一体に押嵌めすることによって容易に一体に組み立てられ、（iii）案内部材17が押嵌めによって搬送部材14に容易に組み立てられる。
使用される押嵌めは、締嵌めでもよく、またはより恒久の結合が必要な場合には、スナップ嵌合が要求される
【図１】
0003539976.tif 000002
【図７】
0003539976.tif 000003
【図２】
0003539976.tif 000004
【図３】
0003539976.tif 000005
【図４】
0003539976.tif 000006
【図５】
0003539976.tif 000007
【図６】
0003539976.tif 000008
【図８】
0003539976.tif 000009
【図９】
0003539976.tif 000010
【図１０】
0003539976.tif 000011
【図１１】
0003539976.tif 000012
【図１２】
0003539976.tif 000013
【図１３】
0003539976.tif 000014
【図１５】
0003539976.tif 000015
【図１４】
0003539976.tif 000016